(57)【要約】【解決手段】底部１と、底部に重なるように倒すことができる一方の相対する側壁２と、同じく、底部に重なるように倒すことができるもう一方の相対する側壁３とを有する折り畳みコンテナーにおいて、側壁の下端水平リブ２ｂの下面に、起立ガイドブロックＧ１を垂設するとともに、底部の土手部１ａには、側壁が起立された状態において、起立ガイドブロックが収容される起立ガイドブロック収容凹部１ｄが形成されており、且つ、起立ガイドブロック収容凹部には、側壁を起立する際に、起立ガイドブロックが当接する傾斜面１ｄ１を形成したものである。【効果】起立ガイドブロック収容凹部には、側壁を起立する際に、起立ガイドブロックが当接する傾斜面を形成したので、略水平状態の側壁を、円滑に、起立することができる。【選択図】図１１
2010202272.tif 000002
【特許請求の範囲】
【請求項１】
底部と、該底部に重なるように倒すことができる一方の相対する側壁と、同じく、底部に重なるように倒すことができるもう一方の相対する側壁とを有する折り畳みコンテナーにおいて、前記側壁の下端水平リブの下面に、起立ガイドブロックが垂設されているとともに、底部の土手部には、前記側壁が起立された状態において、前記起立ガイドブロックが収容される起立ガイドブロック収容凹部が形成されており、且つ、前記起立ガイドブロック収容凹部には、前記側壁を起立する際に、前記起立ガイドブロックが当接する傾斜面が形成されていることを特徴とする折り畳みコンテナー。
【請求項２】
前記側壁が起立された際には、前記側壁に形成された前記起立ガイドブロックの下面が、前記底部の土手部を構成する水平部に、面接触するように構成されていることを特徴とする請求項１に記載の折り畳みコンテナー。
【請求項３】
前記起立ガイドブロックの下面に、ガイド突起が形成されていることを特徴とする請求項１又は請求項２に記載の折り畳みコンテナー。
【請求項４】
前記ガイド突起が、前記底部の土手部に形成された凹部に位置するように構成されていることを特徴とする請求項１〜請求項３のいずれか１項に記載の折り畳みコンテナー。
【請求項５】
少なくとも、前記底部及び前記側壁の何方か一方が、滑剤が配合された原料により成形されていることを特徴とする請求項１〜請求項４のいずれか１項に記載の折り畳みコンテナー。
【請求項６】
前記起立ガイドブロック及び／又は前記起立ガイドブロック収容凹部形成された傾斜面に、摩擦低減剤を塗布したことを特徴とする請求項１〜請求項４のいずれか１項に記載の折り畳みコンテナー。
【発明の詳細な説明】
【技術分野】
【０００１】
本発明は、底部と、底部に重なるように倒すことができる一方の相対する側壁と、同じく、底部に重なるように倒すことができるもう一方の相対する側壁とを有する折り畳みコンテナーに関するものである。
【背景技術】
【０００２】
箱型に組み立てられた折り畳みコンテナーを折り畳む際に、先に、底部に重なるように倒される側壁の下端水平リブに、ヒンジ部とスライド突起を垂設するとともに、底部の側壁部に、ヒンジ部のヒンジピンが摺接する傾斜したヒンジピン係合溝を形成するとともに、側壁部の水平面に、スライド突起が嵌合する凹部を形成した折り畳みコンテナーが、特許文献１に開示されている。
【先行技術文献】
【特許文献】
【０００３】
【特許文献１】特開２００６−８９０６７号公報
【発明の概要】
【発明が解決しようとする課題】
【０００４】
上述した従来の折り畳みコンテナーにおいては、底部の側壁部に、傾斜したヒンジピン係合溝が形成されているために、側壁部に薄肉部が形成され、従って、底部と側壁とのヒンジ部の強度や剛性が低下し、ヒンジ部が損傷するという問題があった。
【０００５】
また、側壁が垂直に立てられた際には、側壁の下端水平リブに垂設されたスライド突起が、底部の側壁部の水平面に形成された凹部に嵌合することになるが、側壁に、上方から負荷が加わった場合に、スライド突起の先端部が、凹部の水平面と線接触であるために、凹部の水平面が損傷するという問題があった。
【０００６】
本発明の目的は、上述した従来の折り畳みコンテナーが有する課題を解決することにある。
【課題を解決するための手段】
【０００７】
本発明は、上述した目的を達成するために、底部と、底部に重なるように倒すことができる一方の相対する側壁と、同じく、底部に重なるように倒すことができるもう一方の相対する側壁とを有する折り畳みコンテナーにおいて、第１には、前記側壁の下端水平リブの下面に、起立ガイドブロックを垂設するとともに、底部の土手部には、前記側壁が起立された状態において、前記起立ガイドブロックが収容される起立ガイドブロック収容凹部が形成されており、且つ、前記起立ガイドブロック収容凹部には、前記側壁を起立する際に、前記起立ガイドブロックが当接する傾斜面を形成したものであり、第２には、前記側壁が起立された際には、前記側壁に形成された前記起立ガイドブロックの下面が、前記底部の土手部を構成する水平部に、面接触するように構成したものであり、第３には、前記起立ガイドブロックの下面に、ガイド突起を形成したものであり、第４には、前記ガイド突起が、前記底部の土手部に形成された凹部に位置するように構成したものであり、第５には、少なくとも、前記底部及び前記側壁の何方か一方が、滑剤が配合された原料により成形されているものであり、第６には、前記起立ガイドブロック及び／又は前記起立ガイドブロック収容凹部形成された傾斜面に、摩擦低減剤を塗布したものである。
【発明の効果】
【０００８】
側壁の下端水平リブの下面に、起立ガイドブロックを垂設するとともに、底部の土手部には、前記側壁が起立された状態において、前記起立ガイドブロックが収容される起立ガイドブロック収容凹部が形成されており、且つ、前記起立ガイドブロック収容凹部には、前記側壁を起立する際に、前記起立ガイドブロックが当接する傾斜面を形成したので、略水平状態の側壁を、円滑に、起立することができる。
【０００９】
前記側壁が起立された際には、前記側壁に形成された前記起立ガイドブロックの下面が、前記底部の土手部を構成する水平部に、面接触するように構成したので、起立された側壁に、上方から負荷が加わった際に、底部の土手部が損傷するようなことを防止することができる。
【００１０】
起立ガイドブロックの下面に、ガイド突起を形成したので、略水平状態の側壁を、より円滑に、起立することができる。
【００１１】
起立ガイドブロックの下面に形成されたガイド突起が、底部の土手部に形成された凹部に位置するように構成したので、ガイド突起により、底部の土手部が損傷するようなことを防止することができる。
【００１２】
少なくとも、前記底部及び前記側壁の何方か一方が、滑剤が配合された原料により成形されているので、折り畳まれた長側壁を、より円滑に、起立することができる。
【００１３】
前記起立ガイドブロック及び／又は前記起立ガイドブロック収容凹部形成された傾斜面に、摩擦低減剤を塗布したので、折り畳まれた長側壁を、より円滑に、起立することができる。
【図面の簡単な説明】
【００１４】
【図１】図１は、本願発明の折り畳みコンテナーの斜視図である。
【図２】図２は、本願発明の折り畳みコンテナーを構成する長側壁の部分斜視図である。
【図３】図３は、本願発明の折り畳みコンテナーを構成する長側壁の部分拡大斜視図である。
【図４】図４は、同じく、本願発明の折り畳みコンテナーを構成する長側壁の部分拡大斜視図である。
【図５】図５は、本願発明の折り畳みコンテナーを構成する底部の部分斜視図である。
【図６】図６は、本願発明の折り畳みコンテナーを構成する長側壁と底部の部分拡大分解図である。
【図７】図７は、同じく、本願発明の折り畳みコンテナーを構成する長側壁と底部の部分拡大分解図である。
【図８】図８は、本願発明の折り畳みコンテナーを構成する底部の長辺側土手部の垂直断面図である。
【図９】図９は、本願発明の折り畳みコンテナーを構成する長側壁と底部とがヒンジ連結された状態の一部断面を含む拡大部分拡大分解図である。
【図１０】図１０は、同じく、本願発明の折り畳みコンテナーを構成する長側壁と底部とがヒンジ連結された状態の一部断面を含む拡大部分拡大分解図である。
【図１１】図１１は、同じく、本願発明の折り畳みコンテナーを構成する長側壁と底部とがヒンジ連結された状態の一部断面を含む拡大部分拡大分解図である。
【図１２】図１２は、同じく、本願発明の折り畳みコンテナーを構成する長側壁と底部とがヒンジ連結された状態の一部断面を含む拡大部分拡大分解図である。
【実施例】
【００１５】
図１に示されているように、折り畳みコンテナーは、底部１と、底部１の一方の相対する長辺側土手部１ａにヒンジ連結された長側壁２と、底部１のもう一方の相対する短辺側土手部１ｂにヒンジ連結された短側壁３とを有しており、本実施例においては、長辺側土手部１ａは、短辺側土手部１ｂより低く構成されている。
【００１６】
箱型に組み立てられた折り畳みコンテナーを折り畳むには、先ず最初に、長側壁２を、底部１に重なるように倒し、次いで、短側壁３を、先に倒された長側壁２に重なるように倒すことにより、折り畳むことができるように構成されている。また、折り畳まれた状態の折り畳みコンテナーを、箱型に組み立てるには、短側壁３を、略垂直に立て、次いで、長側壁２を、略垂直に立てることにより、箱型に組み立てられるように構成されている。
【００１７】
次に、図２〜図４用いて、長側壁２に配設された雄ヒンジ部材Ｈ１と起立ガイドブロックＧ１について説明する。なお、短側壁３と底部１の短辺側土手部１ｂとのヒンジ連結構造も同じであるので、その説明は省略する。
【００１８】
長側壁２の板部２ａの下端には、板部２ａに垂直な下端水平リブ２ｂが形成されており、下端水平リブ２ｂの下面の所定個所には、雄ヒンジ部材Ｈ１と起立ガイドブロックＧ１が垂設されている。本実施例においては、下端水平リブ２ｂの両端部付近に、それぞれ、１個の起立ガイドブロックＧ１、及び、下端水平リブ２ｂの中央部付近に、所定の間隔を置いて、２個の起立ガイドブロックＧ１が垂設されている。また、下端水平リブ２ｂの中央部付近に位置する起立ガイドブロックＧ１と下端水平リブ２ｂの両端部付近に位置する起立ガイドブロックＧ１との間に、それぞれ、２個の雄ヒンジ部材Ｈ１が垂設されているとともに、下端水平リブ２ｂの中央部付近に位置する２個の起立ガイドブロックＧ１間に、１個の雄ヒンジ部材Ｈ１が垂設されている。従って、下端水平リブ２ｂには、４個の起立ガイドブロックＧ１と５個の雄ヒンジ部材Ｈ１が垂設されている。
【００１９】
雄ヒンジ部材Ｈ１は、板部２ａに対して垂直で、且つ、所定の間隔を置いて垂設された板状の３枚の支持片ｈ１と、両端に位置する支持片ｈ１の下端部に突設されたヒンジピンｈ２と、支持片ｈ１の一方の垂直端を連結する連結片ｈ３とから構成されている。なお、支持片ｈ１の数は、適宜、２枚とすることも、４枚以上とすることもできる。
【００２０】
起立ガイドブロックＧ１は、下端水平リブ２ｂの幅（下端水平リブ２ｂの長さ方向に対して、垂直な幅）Ｗ１と略同じ幅を有するとともに、所定の長さ（下端水平リブ２ｂの長さ方向に沿った長さ）Ｌ１を有する角柱状或いは角筒状のブロック基部ｇ１と、ブロック基部ｇ１の平坦な下面の外側（板部２ａから遠い側）に形成されたガイド突起ｇ２とを有しており、ガイド突起ｇ２は、ブロック基部ｇ１の下面の中央部に突設されている。また、起立ガイドブロックＧ１の高さ（下端水平リブ２ｂの下面からの距離）Ｔ１は、雄ヒンジ部材Ｈ１の高さ（下端水平リブ２ｂの下面からの距離）より、低く形成されている。
【００２１】
次に、図５〜図８を用いて、底部１と、底部１の一方の相対する長辺側土手部１ａに形成された雌ヒンジ部材Ｈ２について説明するが、先ず最初に、長辺側土手部１ａについて説明する。
【００２２】
長辺側土手部１ａは、底部１の板部１ｃの縁部から立設された内壁部１ａ１と、内壁部１ａ１の上端から、外側に水平状に延設された水平部１ａ２と、水平部１ａ２の先端から下方に延在する垂直部１ａ３と、垂直部１ａ３の下端から外側に水平に延在する段差水平部１ａ４と、段差水平部１ａ４の先端から下方に延在する外壁部１ａ５とから構成されている。また、内壁部１ａ１と水平部１ａ２とにより形成される角部には、湾曲状の傾斜部１ａ６が形成されている。
【００２３】
次に、底部１の長辺側土手部１ａに形成された雌ヒンジ部材Ｈ２について説明する。なお、雌ヒンジ部材Ｈ２は、長側壁２に形成されている雄ヒンジ部材Ｈ１に対応して形成されている。
【００２４】
雌ヒンジ部材Ｈ２が形成される長辺側土手部１ａの内壁部１ａ１には、底部１の板部１ｃまで延在する縦長の垂直切り欠き凹部ｈ１０が形成されている。また、長辺側土手部１ａの水平部１ａ２には、垂直切り欠き凹部ｈ１０が、中央部に位置するとともに、垂直切り欠き凹部ｈ１０の幅（長辺側土手部１ａの長さ方向の長さ）より、その幅（長辺側土手部１ａの長さ方向の長さ）が広い水平切り欠き凹部ｈ１１が形成されている。
【００２５】
垂直切り欠き凹部ｈ１０の両側に位置する内壁部１ａ１の内面（外壁部１ａ５側に位置する面）の上端部には、フックｈ１２が形成されている。また、雌ヒンジ部材Ｈ２に位置する垂直部１ａ３を、外壁部１ａ５の下端まで、下方に延在することにより、垂直部１ａ３と一体成形された垂直仕切壁１ａ３’が形成されており、垂直部１ａ３と垂直仕切壁１ａ３’とにより、内壁部１ａ１側側面が垂直で、且つ、面一なヒンジピン外側垂直案内壁面ｈ１３が形成されている。そして、ヒンジピン外側垂直案内壁面ｈ１３と、フックｈ１２より下方に位置する内壁部１ａ１のヒンジピン内側垂直案内壁面ｈ１４とにより、垂直な垂直ガイドスリットＳ１が、垂直切り欠き凹部ｈ１０の両側に形成されている。
【００２６】
図６や図７に示されているように、長側壁２を、底部１の長辺側土手部１ａの上方に配置した後、長側壁２を下降させて、図９に示されているように、長側壁２の雄ヒンジ部材Ｈ１を構成するヒンジピンｈ２や支持片ｈ１や連結する連結片ｈ３を、底部１に形成された雌ヒンジ部材Ｈ２を構成する水平切り欠き凹部ｈ１１に挿入するとともに、雌ヒンジ部材Ｈ２を構成する垂直切り欠き凹部ｈ１０に、支持片ｈ１及び連結片ｈ３が位置するように配置することにより、底部１の雌ヒンジ部材Ｈ２と長側壁２の雄ヒンジ部材Ｈ１とをヒンジ連結することができるように構成されている。
【００２７】
また、長側壁２に形成された起立ガイドブロックＧ１に対応して、底部１の長辺側土手部１ａには、起立ガイドブロック収容凹部１ｄが形成されている。起立ガイドブロック収容凹部１ｄは、内壁部１ａ１側に位置するとともに、上方に向かうに従って、外壁部１ａ５方向に傾斜した傾斜面１ｄ１を有しており、また、起立ガイドブロック収容凹部１ｄの水平上面１ｄ２は、長辺側土手部２を形成する水平部１ａ２より、一段下がった位置に形成されている。更に、図１０に示されているように、長側壁２が、底部１に重なるように、略水平に倒された状態においては、起立ガイドブロックＧ１の長側壁２の下端水平リブ２ｂの先端側面（長側壁２が、底部１に重なるように倒された状態において、上方に位置する面で、以下、外壁面という。）ｇ３は、起立ガイドブロック収容凹部１ｄの傾斜面１ｄ１の下端１ｄ１’付近に位置するように構成されている。長側壁２が、底部１に重なるように、略水平に倒された状態においては、起立ガイドブロックＧ１の外壁面ｇ３が、起立ガイドブロック収容凹部１ｄの傾斜面１ｄ１の下端１ｄ１’より上方に位置するように構成することが好ましい。
【００２８】
上述したように、底部１の雌ヒンジ部材Ｈ２と長側壁２の雄ヒンジ部材Ｈ１とをヒンジ連結した際には、図９に示されているように、底部１の長辺側土手部１ａに形成された起立ガイドブロック収容凹部１ｄに、長側壁２に形成された起立ガイドブロックＧ１が挿入されるように構成されている。
【００２９】
次に、図１０〜図１２を用いて、略水平状態の長側壁２を、略垂直に起立する際の底部１の長辺側土手部１ａに形成された起立ガイドブロック収容凹部１ｄと長側壁２に形成された起立ガイドブロックＧ１との機能について説明する。
【００３０】
図１０に示されているように、略水平状態の長側壁２が、垂直方向に起立する過程において、先ず最初に、長側壁２に形成された起立ガイドブロックＧ１のブロック基部ｇ１の下面に形成されたガイド突起ｇ２が、底部１の長辺側土手部１ａに形成された起立ガイドブロック収容凹部１ｄの傾斜面１ｄ１に当接するとともに、図１１に示されているように、起立ガイドブロック収容凹部１ｄの傾斜面１ｄ１に案内されながら、傾斜面１ｄ１に沿って上昇し、最終的に、図１２に示されているように、長側壁２が、略垂直に起立することになる。
【００３１】
上述したように、長側壁２に形成された起立ガイドブロックＧ１のブロック基部ｇ１の下面に形成されたガイド突起ｇ２が、底部１の長辺側土手部１ａに形成された起立ガイドブロック収容凹部１ｄの傾斜面１ｄ１に案内されることにより、水平状態の長側壁２を、底部１の長辺側土手部１ａに対して、円滑に起立することができる。
【００３２】
また、長側壁２に形成された起立ガイドブロックＧ１のブロック基部ｇ１に、ガイド突起ｇ２が形成されていない場合には、起立ガイドブロックＧ１のブロック基部ｇ１自体が、底部１の長辺側土手部１ａに形成された起立ガイドブロック収容凹部１ｄの傾斜面１ｄ１に当接することになるので、起立ガイドブロック収容凹部１ｄの傾斜面１ｄ１と起立ガイドブロックＧ１との当接部が長くなり、従って、長側壁２の起立抵抗が大きくなり、長側壁２の起立作業の作業性が悪くなるが、起立ガイドブロックＧ１のブロック基部ｇ１に、ガイド突起ｇ２を形成することにより、長側壁２の起立作業の作業性がより向上することになる。
【００３３】
長側壁２が、起立された状態においては、長側壁２に形成された雄ヒンジ部材Ｈ１を構成するヒンジピンｈ２が、図９に示されているように、底部１の長辺側土手部１ａに形成された雌ヒンジ部材Ｈ２を構成するフックｈ１２の水平な庇部ｈ１２ａに接近或いは当接するように構成されており、従って、起立された状態の長側壁２が、底部１の長辺側土手部１ａから離反しないように構成されている。
【００３４】
また、長側壁２が、起立された状態においては、長側壁２の下端水平リブ２ｂが、底部１の長辺側土手部１ａを構成する水平部１ａ２に載置されるとともに、長側壁２に形成された起立ガイドブロックＧ１のブロック基部ｇ１の下面が、底部１の長辺側土手部１ａに形成された起立ガイドブロック収容凹部１ｄの水平上面１ｄ２に、面接触するように構成されており、且つ、起立ガイドブロックＧ１のブロック基部ｇ１に形成されたガイド突起ｇ２が、底部１の長辺側土手部１ａを構成する水平部１ａ２と垂直部１ａ３と段差水平部１ａ４とにより形成される凹部１ａ７に位置するように構成されているので、起立ガイドブロックＧ１のブロック基部ｇ１に形成されたガイド突起ｇ２が、底部１の長辺側土手部１ａを構成する水平部１ａ２に載置されることがない。従って、底部１の長辺側土手部１ａを構成する水平部１ａ２に、起立ガイドブロックＧ１のブロック基部ｇ１に形成されたガイド突起ｇ２が当接し、起立状態の長側壁２に、上方から負荷が加わった際に、ガイド突起ｇ２からの負荷が、水平部１ａ２に略点状に加わり、底部１の長辺側土手部１ａの水平部１ａ２が損傷を防止することができる。なお、ガイド突起ｇ２を複数個、形成することができるとともに、ブロック基部ｇ１がさほど大きくない場合には、適宜、ガイド突起ｇ２を省略することもできる。
【００３５】
更に、ヒンジピン外側垂直案内壁面ｈ１３と、フックｈ１２より下方に位置するヒンジピン内側垂直案内壁面ｈ１４とにより、底部１の長辺側土手部１ａに形成された雌ヒンジ部材Ｈ２には、垂直な垂直ガイドスリットＳ１が形成されているので、傾斜したヒンジピン係合溝を有する従来の折り畳みコンテナーに比べて、底部と長側壁とのヒンジ部の強度や剛性を向上することができる。
【００３６】
なお、上述した構成を、短側壁３と底部１の短辺側土手部１ｂに適用することができる。
【００３７】
また、長側壁２に配設された起立ガイドブロックＧ１と、底部１の長辺側土手部１ａに形成された起立ガイドブロック収容凹部１ｄの傾斜面１ｄ１との起立摩擦を低減するために、長側壁２及び底部１の原料に、脂肪酸アマイド等の滑材を加えることにより、起立摩擦が低減され、従って、折り畳まれた長側壁２を、より円滑に、起立することができる。なお、長側壁２或いは底部１の何方か一方の原料に、滑材を加えることもできる。
【００３８】
また、長側壁２に配設された起立ガイドブロックＧ１と、底部１の長辺側土手部１ａに形成された起立ガイドブロック収容凹部１ｄの傾斜面１ｄ１との起立摩擦を低減するために、起立ガイドブロックＧ１、及び／又は、傾斜面１ｄ１に、摩擦抵抗を低減するシリコンオイル等の摩擦低減剤を塗布することもできる。
【符号の説明】
【００３９】
Ｇ１・・・・・・・・・・起立ガイドブロック
ｇ１・・・・・・・・・・ブロック基部
ｇ２・・・・・・・・・・ガイド突起
Ｈ１・・・・・・・・・・雄ヒンジ部材
Ｈ２・・・・・・・・・・雌ヒンジ部材
１・・・・・・・・・・・底部
１ａ・・・・・・・・・・長辺側土手部
１ｂ・・・・・・・・・・短辺側土手部
１ｄ・・・・・・・・・・起立ガイドブロック収容凹部１ｄ
１ｄ１・・・・・・・・・傾斜面
２・・・・・・・・・・・長側壁
３・・・・・・・・・・・短側壁
【図１】
2010202272.tif 000003
【図２】
2010202272.tif 000004
【図３】
2010202272.tif 000005
【図４】
2010202272.tif 000006
【図５】
2010202272.tif 000007
【図６】
2010202272.tif 000008
【図７】
2010202272.tif 000009
【図８】
2010202272.tif 000010
【図９】
2010202272.tif 000011
【図１０】
2010202272.tif 000012
【図１１】
2010202272.tif 000013
【図１２】
2010202272.tif 000014